(57)【要約】【課題】  携帯性と操作性に優れ、顔面局部の清掃効果やマッサージ効果の高い容器にする。【解決手段】  収納した塗布剤Ｋを押出せる棒状の容器本体１と、前記容器本体１に組み付けられ前記容器本体１内と連通する注出孔１５を穿孔したパッド１０とを有してなり、前記パッド１０は、その塗布基盤部１３の上面に複数の突起１４を突設し、少なくとも塗布基盤部１３の上面から突起１４にかけて静電植毛を施したことを特徴としており、押し出した塗布剤Ｋをパッド１０で保持しながら塗布できるとともに、パッド１０に塗布剤Ｋを含んだまま清掃操作やマッサージ操作を行うことにより、浮き上がったメイク残りや毛穴の汚れ、角栓などを除去したり、美容液を浸透させることができるようにした。【選択図】      図１
2005118409.tif 000002
【特許請求の範囲】
【請求項１】
収納した塗布剤を押出せる棒状の容器本体と、前記容器本体に組み付けられ前記容器本体内と連通する注出孔を穿孔したパッドとを有してなり、前記パッドは、その塗布基盤部の上面に複数の突起を突設し、少なくとも塗布基盤部の上面から突起にかけて静電植毛を施したことを特徴とする塗布体付き容器。
【請求項２】
前記パッドが、容器本体のパッドホルダーに着脱自在であることを特徴とする請求項１記載の塗布体付き容器。
【請求項３】
前記パッドの塗布基盤部を、前記パッドホルダーに嵌挿する差込筒部上端の基台部を介して傾斜して形成し、前記複数の突起を、前記塗布盤部の傾斜に沿って先端を揃えて軸方向へ一体に突設したことを特徴とする請求項１又は請求項２記載の塗布体付き容器。
【請求項４】
前記パッドに柔軟性の材料を用いるとともに、前記塗布基盤部を前記基台部の上端面よりも広い面積に形成して撓み可能としたことを特徴とする請求項１、２又は請求項３記載の塗布体付き容器。
【発明の詳細な説明】
【技術分野】
【０００１】
本発明は、顔の皮膚溝や毛穴の汚れ、角栓、メイク残り等、顔の皮膚細部の汚れの清掃や、美容液を用いた顔の皮膚面のマッサージに好適に使用される塗布体付き容器に関する。
【背景技術】
【０００２】
一例として、クレンジング剤による清掃について説明すると、小鼻の脇や皮膚溝、毛穴の汚れ、角栓、ファンデーション等によるメイク残り等、顔の皮膚の細部の汚れは、通常の洗顔では完全には落ちにくいことから、これらの汚れを清掃する一手段として、オイルクレンジングやミルククレンジングを塗布して汚れを浮かせた後、クレンジングパッドと通称されている表面に微細な突起を多数設けたシリコンゴム製の柔軟なブラシ状のパッドを使って細部の汚れを擦り落とす方法が知られている。
【０００３】
また、顔の汚れを落とす清掃容器として、例えば実開昭６１−２１４１３号に開示されているように、洗顔乳液を充填したスクイズ容器にブラシ毛を密植した塗布用ブラシを傾動可能に装着し、常時は塗布用ブラシを直立状態とすることで液密性が保持され、使用時に塗布用ブラシを傾動させることでスクイズ容器内と塗布用ブラシが連通し、ブラシ毛の基部に洗顔乳液を押し出し可能とする塗布容器が知られている。
【特許文献１】実開昭６１−２１４１３号
【発明の開示】
【発明が解決しようとする課題】
【０００４】
しかしながら、上記従来のシリコンゴム製の柔軟なパッドによる清掃方法は、
クレンジング剤を手指で塗布した後パッドを用いて清掃するので、手が汚れる不具合があった。また、パッドにおける微細な突起部の保液機能が低いことから、パッドを用いてクレンジング剤や美容液等を塗布したり、パッドに塗布液を保持したまま清掃したりマッサージすることができず不便であった。そして、旅行先などには塗布液の収納容器とパッドとを個別に持ち歩かねばならず携帯性が悪かった。
【０００５】
また、ブラシ毛を有する洗顔乳液塗布容器は、単にクレンジング液を皮膚面に塗布するには好適だが、毛束による掻き取り効果やマッサージ効果が低く、クレンジング剤による皮膚の細部の洗浄や、美容液による顔面局部のマッサージには適してしない。また、塗布用ブラシを傾動して使用するので塗布用ブラシが動き易く、皮膚面の清掃用具やマッサージ用具としては操作性が悪かった。
【０００６】
本発明は、上記の問題に鑑みてなされたので、携帯性と操作性に優れた清掃効果やマッサージ効果の高い塗布体付き容器を提供することにある。
【課題を解決するための手段】
【０００７】
本発明は、収納した塗布剤を押出せる棒状の容器本体と、前記容器本体に組み付けられ前記容器本体内と連通する注出孔を穿孔したパッドとを有してなり、前記パッドは、その塗布基盤部の上面に複数の突起を突設し、少なくとも塗布基盤部の上面から突起にかけて静電植毛を施したことで上記の課題の解決手段とした。
【０００８】
また、前記パッドが、容器本体のパッドホルダーに着脱自在であることを特徴としており、汚れたものは取り外して洗浄し、摩耗したものは交換することができる。
【０００９】
また、前記パッドの塗布基盤部を、前記パッドホルダーに嵌挿する差込筒部上端の基台部を介して傾斜して形成し、前記複数の突起を、前記塗布盤部の傾斜に沿って先端を揃えて軸方向へ一体に突設した構成とする事が好ましい。
【００１０】
また、前記パッドに柔軟性の材料を用いるとともに、前記塗布基盤部を前記基台部の上端面よりも広い面積に形成して撓み可能とし、塗布基盤部を押し撓ませて小鼻の脇など顔の細部に適応できるようにすると好い。
【発明の効果】
【００１１】
本発明によれば、押し出した塗布剤はポタ落ちすることなく植毛されたパッドに保持され、パッドを使って塗布できると共に、そのまま清掃操作やマッサージ操作に移行して、パッドに塗布剤を含んだ状態のまま浮き上がったメイク残りや毛穴の汚れ、角栓などを除去したり、美容液を浸透させることができる。
【００１２】
また、汚れたパッドは、取り外し洗浄して再使用ができるので、衛生的であり、摩耗したしたパッドは、新しいパッドを付けかえて使用できるので経済的である。
【００１３】
また、塗布基盤部を柔軟に撓ませて小鼻の脇など、塗布操作やマッサージ操作が難しい顔の細部への適用が容易であり、操作性に優れている。また、パッドと塗布剤収納容器とが一体に組み付けられた棒状容器であるので、携帯性が極めて良い。
【発明を実施するための最良の形態】
【００１４】
以下、本発明の塗布体付き容器の好適な実施の形態を図面を参照しながら詳細に説明する。
【００１５】
図１乃至図５は、充填内容物が乳液状、オイル状など液状の塗布剤に好適な第１の実施の形態を示しており、本発明の塗布体付き容器は、クレンジング剤や美容液など、塗布剤Ｋを充填した棒状の容器本体１と、容器本体１の頚部２に着脱自在に組み付けられるパッド１０と、容器本体１の頚部２に嵌着する蓋体２０とを有して構成されている。
【００１６】
容器本体１は、スクイズ性を有する棒状のブローボトルであり、その頚部２には、円筒状のパッドホルダー４が嵌着され、パッドホルダー４の基端部内には、パッドホルダー４内の中央に注出用パイプ５を立設支持するパイプホルダー６が嵌挿されている。また、頚部２の外周には、蓋体２０の雌ネジ２１と螺合する雄ネジ３が刻設されている。
【００１７】
パッド１０には、エラストマーやシリコンゴム、ポリエチレン、ポリプロピレン、ポリウレタン等、比較的軟質の材料が使用されており、本実施の形態では柔軟性の成形材料を用いて形成されている。このパッド１０は、図１乃至図５に示すように、パッドホルダー６に挿入される差込筒部１１と、差込筒部１１上端の基台部１２と、基台部１２上端に基台部１２の上端斜面よりも広い面積に形成された傾斜した塗布盤部１３とから成り、塗布基盤部１３の上面には、先端を塗布基盤部１３の傾斜に沿って揃えた複数本の突起１４が軸方向へ一体に突設されている。
【００１８】
また、パッド１０の中央には、容器本体１内と連通し塗布基盤部１３の表面に開口する塗布剤Ｋを注出する為の注出孔１５が穿孔されており、注出孔１５の下方は注出用パイプ５が差し込まれる拡径部１５ａとなっている。
【００１９】
そして、少なくとも塗布基盤部１３の上面から突起１４にかけて微細繊維の静電植毛が施されていて、塗布基盤部１３の表面に注出された液状の塗布剤Ｋがパッド１０からポタ落ちすることなく保持されるようになっている。
【００２０】
パッド１０に静電植毛される微細繊維は、ポリエチレン、ポリエステル、ポリアミド、アクリル、ビニロン等の合成繊維が好ましく、その長さ０．２〜１．０ｍｍ、その太さ０．０１〜０．１ｍｍの物が好ましく、微細繊維の長さや太さは塗布剤の性状によって適宜選択される。
【００２１】
蓋体２０は、雌ネジ２１を刻設したスクリュウキャップであり、容器本体に嵌着しているときは、天板下面に突設した閉塞栓２２でパッド１０の注出孔１５を塞いている。
【００２２】
次に、本実施の形態の使用について説明すると、容器本体１を圧搾することによりパッド１０の塗布基盤部１３に適量の塗布剤Ｋを押し出し、筆を操作する要領で顔面の所望場所に塗布剤Ｋを塗布すると共に、パッド１０による皮膚の摩擦清掃や、マッサージを行う。
【００２３】
パッド１０には、微細繊維の植毛が施されていることから、流動性の高い塗布剤でも従来のブラシ状のパッドにように操作中にパッドから塗布剤が流れ落ちることがなく、パッド１０に塗布剤を含んだ状態で清掃操作やマッサージが行える。この操作により、クレンジングの場合は、パッド１０の突起１４で皮膚細部の汚れが掻き落とされるとともに植毛繊維が毛穴や皮膚の細溝の中に入ることにより更に清掃効果を高めている。
【００２４】
また、小鼻の脇など、塗布操作や清掃操作がし難い顔の細部には、パッド１０を押圧することにより塗布基盤部１３を撓ませて適用し、清掃し難い場所の化粧残りや角栓を完全に除去することができる。
【００２５】
また、パッド１０が汚れた場合は、パッド１０をパッドホルダー４から引き抜いて取り外し、洗浄して再使用することができる。
【００２６】
図６は、比較的粘度の高い塗布剤Ｋを定量押し出しするのに好適なノック式の棒状容器を示している。図において、パッド１０の部分は既述したパッドと同様であるので、同一符号を付してその説明を省略する。
【００２７】
この容器本体１におけるノック式の押出し機構は基本的に公知である。容器本体１は、パッド１０を組み付ける頚部２を有し上半分に塗布剤Ｋを収納する外筒２５と、前記外筒２５の下半分に脱抜不能に挿着された内筒２６と、前記内筒２６の先端部に固定されたナット部材２７と、前記ナット部材２７に進出可能に螺挿された長ネジ部材２８と、前記長ネジ部材２８の先端に回転可能に装着され前記外筒２５をシリンダーとして塗布剤Ｋを押し出すピストン２９と、前記長ネジ部材２８に軸方向摺動可能に取り付けられ長ネジ部材２８とは相互回転不能にして長ネジ部材２８を回転させる回転カム３０と、前記回転カム３０と前記ナット部材２７との間に介在するスプリング３１と、前記回転カム３０と相互のカム山３２同士で滑動可能に係合し前記内筒２６内に回転不能にして軸方向摺動可能に装着された摺動カム３３と、前記摺動カム３３を押圧するノック部材３４と、から構成されている。
【００２８】
この容器は、ノック部材３４をノックすることにより、回転カム３０がワンストローク分回転して長ネジ部材２８が所定距離前進移動し、ピストン２９によって容器本体１内の塗布剤Ｋが所定量だけパッド１０に押し出される。したがって、クリーム状やペースト状を呈する比較的粘度の高い塗布剤Ｋを収納し、これをワンストローク一定量ずつ押し出して無駄なく使用するのに好適である。            
【００２９】
図７は、クリーム状、ペースト状などの比較的粘度の高い塗布剤Ｋを、任意の量押し出すのに好適な繰り出し式による押し出し機構を備えた棒状容器を示しており、容器本体１における繰り出し機構の基本的構成は公知である。
【００３０】
この容器本体１は、内壁に螺旋溝４１が凹設された外筒４０と、上部スリーブ４２ｂに塗布剤Ｋが充填され、一対の縦長のガイド溝４３、４３が穿設された下部スリーブ４２ａが前記外筒４０に回転可能に嵌挿された中筒４２と、前記中筒４２の下部スリーブ４２ｂ内に摺動可能に嵌挿され基端部に前記下部スリーブ４２ｂのガイド溝４３、４３を貫通して前記外筒４０の螺旋溝４１に螺合する一対の螺合突起４５、４５を突設した昇降筒４４と、前記昇降筒４４の先端に嵌着され前記中筒４２の上部スリーブ４２ａに充填された塗布剤Ｋを押し出すピストン４６と、から構成されている。
【００３１】
パッド１０は、容器本体１における中筒４２の先端に嵌着されている。このパッド１０は、中筒４２に挿入される差込筒部１１と、差込筒部１１上端の塗布基盤部１３と、塗布基盤部１３の上面に突設された複数本の突起１４と、とからなり、パッド１０の中央には、容器本体１内と連通し塗布基盤部１３の表面に開口する塗布剤Ｋを注出する為の注出孔１５が穿孔されている。注出孔１５は不使用時には蓋体２０の天板下面に突設された閉塞栓２２によって塞がれている。そして、少なくとも塗布基盤部１３の上面から突起１４にかけて微細繊維の静電植毛が施されている。
【００３２】
この容器本体１は、その外筒１０と中筒４２の上部スリーブ４２ａを把持して相互回転させることにより、ピストン４６が上昇して上部スリーブ４２ａ内の塗布剤Ｋを注出孔１５からパッド１０に注出する構成である。したがって、ピストンを持続して強力に上昇させることが可能であることから、比較的高粘度の塗布剤Ｋを充填し、これを手加減で好みの注出量に調整しながら使用するのに好適な容器である。
【図面の簡単な説明】
【００３３】
【図１】本発明の塗布体付き容器の実施の形態を示す主要部を断面とした説明図。
【図２】図１の容器に使用さているパッドを示す平面図。
【図３】図２の側面図。
【図４】図３の断面図。
【図５】図４の一部分を拡大して示す断面図
【図６】本発明の塗布体付き容器の別の実施の形態を示す断面図。
【図７】本発明の塗布体付き容器の更に別の実施の形態を示す断面図。
【符号の説明】
【００３４】
１  容器本体，４  パッドホルダー，１０  パッド，１１  差込筒部，１２  基台部，１３  塗布基盤部，１４  突起，１５  注出孔，Ｋ  塗布剤，
【図１】
2005118409.tif 000003
【図２】
2005118409.tif 000004
【図３】
2005118409.tif 000005
【図４】
2005118409.tif 000006
【図５】
2005118409.tif 000007
【図６】
2005118409.tif 000008
【図７】
2005118409.tif 000009